(57)【特許請求の範囲】
【請求項１】
放送局より地上波のアナログ放送信号に多重化して送出するデータ多重放送番組を受信及び再生可能なデータ放送受信装置であって、
放送局において作成、送出され、前記データ放送受信装置において受信、再生されるデータ多重放送番組を構成するコンテンツ群と
放送局において前記コンテンツ群と共に作成され、前記データ放送受信装置において前記コンテンツ群を受信した後に各コンテンツを再構築して番組を再生することに利用される情報として、
受信した各コンテンツのファイル自身に記録されている暫定ファイル名を基に一対一に対応付けられて得られる正式ファイル名と、
前記コンテンツ群の各コンテンツに一対一に対応付けられたネットワーク上にあるコンテンツサーバにおける各コンテンツの記憶領域のパス情報であるネットワークの経路情報を含む番組構成情報を前記データ放送受信装置で受信した後に記憶する記憶手段と、
前記記憶手段に記憶された前記番組構成情報と前記コンテンツ群の各コンテンツのファイル名を比較して欠落しているコンテンツ、当該コンテンツに付随する付加情報を検出する手段と、
ネットワークへ接続してコンテンツサーバにアクセスする手段と、
前記経路情報を用いて前記ネットワーク上のコンテンツサーバから自動的に前記検出された欠落しているコンテンツと同じコンテンツ、あるいは当該コンテンツに付随する付加情報を取得し、本来配置されるべき場所に補完配置する手段と、
を備えることを特徴とするデータ放送受信装置。
【請求項２】
放送局より地上波のアナログ放送信号に多重化して送出するデータ多重放送番組を受信及び再生可能なデータ放送受信方法であって、
放送局において作成、送出され、データ放送受信装置において受信、再生されるデータ多重放送番組を構成するコンテンツ群と
放送局において前記コンテンツ群と共に作成され、前記データ放送受信装置において前記コンテンツ群を受信した後に各コンテンツを再構築して番組を再生することに利用される情報として、
受信した各コンテンツのファイル自身に記録されている暫定ファイル名を基に一対一に対応付けられて得られる正式ファイル名と、
前記コンテンツ群の各コンテンツに一対一に対応付けられたネットワーク上にあるコンテンツサーバにおける各コンテンツの記憶領域のパス情報であるネットワークの経路情報を含む番組構成情報を前記データ放送受信装置で受信した後に記憶する記憶工程と、
前記記憶工程で記憶した前記番組構成情報と前記コンテンツ群の各コンテンツのファイル名を比較して欠落しているコンテンツ、当該コンテンツに付随する付加情報を検出する工程と、
ネットワークへ接続してコンテンツサーバにアクセスする工程と、
前記経路情報を用いて前記ネットワーク上のコンテンツサーバから自動的に前記検出された欠落しているコンテンツと同じコンテンツ、あるいは当該コンテンツに付随する付加情報を取得し、本来配置されるべき場所に補完配置する工程と、
を含むことを特徴とするデータ放送受信方法。
【発明の詳細な説明】
【０００１】
【発明の属する技術分野】
本発明は、データ放送における番組をより充実させるためにネットワークシステムと融合したデータ放送受信技術に関する。
【０００２】
【従来の技術】
近年、地上波アナログテレビジョン放送において多重化技術を利用した文字多重放送、双方向文字多重放送が実現され、サービスが開始されている。
【０００３】
現在、サービスが実施されている文字多重放送、双方向文字多重放送番組には、ニュース、天気予報、交通情報、観光案内、テレビショッピング、アンケート、クイズ問題解答などがある。
【０００４】
これらのサービスと同様に、多重化技術を利用してサービスが開始されているものに、データ多重放送がある。このデータ多重放送番組にも、文字多重放送と同様のニュース、天気予報、交通情報、観光案内、等がある。
【０００５】
また、データ多重放送番組は、複数のコンテンツで構成されておりそれぞれのコンテンツは、ファイル化されて記憶装置に蓄積されることを前提としている。現在の多重放送においては、垂直帰線消去期間の内、８本／フレームの走査線を使用して重畳されている。
【０００６】
文字多重放送番組の場合は、この限られた伝送容量の範囲に納まるように重畳させるために、また、番組を構成するコンテンツを記憶装置に保持しないために、各コンテンツの数と情報容量を小さくし、かつ、短時間の間に番組を構成する全コンテンツを放送する。この番組を繰り返し放送することで、記憶装置にコンテンツを保持すること無く、静止画面を実現したり、受信障害等によりあるコンテンツが極度に受信しにくくなることが発生しにくい。
【０００７】
また、以上のような放送形態のため、番組を構成するコンテンツ間にはページという単純な関連しかない。
【０００８】
また、そもそもコンテンツ容量が小さいため伝えるべき情報の範囲も狭く、付随、関連する情報の提供も同様に多重放送で実現できる。
【０００９】
双方向文字多重放送の場合は、通常のテレビ番組と連動したコンテンツが主体であり、コンテンツの受信に必要となる時間には制限があるため、当然コンテンツ容量は小さく、コンテンツ間には特に関連があるわけではない。また、公衆回線等を利用して、双方向性を実現しているが、利用目的は、受信されたコンテンツによる質問に対して解答する程度の使われ方であり、受信コンテンツに関連、付随する情報を取得したり、補完したりするものではない。
【００１０】
しかしながら、データ多重放送においては、番組を構成するコンテンツはファイル化され、記憶装置に保持させることを前提にしているため、コンテンツの情報容量は大きくなることが多く、また、番組の構成も階層化され、番組内のコンテンツ数も多くなる。
【００１１】
コンテンツが大容量であると、小さな伝送容量しか持たない多重放送では受信完了までに時間を要するため、受信障害の影響を受けやすく、極度に受信しにくくなるコンテンツが出る恐れがある。
【００１２】
番組の構成が階層構造であり、階層間のコンテンツは、上位階層の存在に依存することが多くなるため、もし上位階層コンテンツが受信できない状態が続けば番組の構成が成り立たなくなる恐れがある。
【００１３】
小さな伝送容量しか持たないデータ多重放送において、複雑でより多くのコンテンツで構成される番組を放送するためには、伝送容量が不足することが予想される。
【００１４】
今後予定されている、地上波デジタル放送や衛星デジタル放送においては、さらに大容量、複雑化された番組の放送が予想されることから、一層受信障害の影響を排除する必要性が迫られる。
【００１５】
【発明が解決しようとする課題】
地上波アナログデータ多重放送においては、伝送容量が高々、５〜６ＫＢｙｔｅｓ／秒である。このような、低容量の伝送経路で、情報量の大きい動画データファイルを含む番組を放送する場合、例えば、そのファイルが１ＭＢｙｔｅｓであるならば、受信には３分以上必要となり、受信障害対策として複数回、例えば、２回同じファイルを放送すれば、単純に受信には、６分以上必要となる。もし、それ以上の回数を繰り返し放送すれば、ますます伝送容量が小さくなり、番組の構成に容量が小さくなるような制限を設けなければならず、データ放送番組としては、つまらないものとなる可能性があり問題である。
【００１６】
また、コンテンツの受信に３分、６分以上も必要だと番組全体の受信にはそれ以上が必要となることが予想される。このように受信に長時間かかるようでは、新規番組の保持や既に保持されている番組の更新がなかなか行われないという問題がおこる。
【００１７】
データ多重放送番組は、多くのコンテンツで構成され、あるコンテンツは他のあるコンテンツが存在していることに依存していたりする場合が多い。しかし、受信障害によりコンテンツの欠落が発生すると番組が成り立たなくなり問題である。
【００１８】
例えば、相撲のニュース番組で、千秋楽で優勝力士が決定したことを伝える場合を想定してみる。
【００１９】
番組は２つのコンテンツから構成され、１つはタイトルのコンテンツ、もう１つは、取り組みの写真であるとする。タイトルのコンテンツは正しく受信され、「貴乃花、優勝！！」と受信機に表示されたとする。しかし、写真のコンテンツは、受信障害のため受信できず、昨日受信して保持されている同じファイル名のコンテンツが表示されてしまったとする。もし、このとき表示されている昨日の写真のコンテンツが、貴乃花が土俵に転がっている写真であったならば、タイトルと写真が矛盾し、ニュースが正しく伝えられない。これでは、番組が成り立たず問題である。
【００２０】
【課題を解決するための手段】
このような課題を解決するために本発明は、放送信号に多重化されるデータ放送信号を受信及び再生可能なデータ放送受信装置であって、再生される番組を構成するコンテンツ群とコンテンツ群とともに放送される番組構成情報を保持することのできる記憶手段と、インターネット等の外部ネットワークへの接続を実現する手段を具備するデータ放送受信装置である。さらに、番組構成情報には、番組を構成するコンテンツに一対一に対応する外部ネットワークの経路情報とその経路情報の示す場所にある記憶領域のパス情報とを含むことを特徴とする。
【００２１】
さらに、データ放送受信装置においては、放送される番組のコンテンツ群を受信するとファイル化してそのファイル自身に記録されている暫定的なファイル名で記憶装置に保持する。この後、コンテンツ群とともに放送される番組構成情報を受信すると、そこに記述されている暫定的なファイル名と一対一に対応付けられている正式なパス情報とファイル名を使用して、記憶装置に保持されているファイルを正式なパス情報の示す位置に正式なファイル名で保持し直す。
【００２２】
この時に、本発明の特徴の一つである番組構成情報に含まれている、番組を構成するコンテンツに一対一に対応する外部ネットワークの経路情報とその経路情報の示す場所にある記憶領域のパス情報を利用して外部ネットワークから自動的に番組を構成するコンテンツに関連する情報を取得する。
【００２３】
このようにして、番組を構成するコンテンツに情報を付加することをデータ放送ではなく、外部ネットワークから取得することが可能となり、番組を放送する上で伝送容量を増大させることなく番組構成を充実させることが可能となるという作用を有する。
【００２４】
また、本発明では、同様の方法で、受信障害等で欠落したコンテンツを外部ネットワークから自動的に取得し、受信障害等によるコンテンツの欠落を全く無くすことができるので、コンテンツを複数回送信する必要が無くなるため伝送容量を大きくすることが可能となるという作用を有する。
【００２５】
【発明の実施の形態】
以下、本発明の一実施の形態を図面を参照しながら説明する。
【００２６】
（実施の形態１）
図１は、本発明の一実施の形態に係わるデータ放送システムの基本構成図である。
【００２７】
最初に、図１を参照してデータ放送システムの原理について説明する。
図１のデータ放送システムは、現行の文字多重放送の機能と電話通信機能とを応用して活用することによって実現されている。図１においては、家庭やオフィスに置かれたデータ放送受信機１１と、放送局１２と、電話回線網やＩＳＤＮなどの公衆回線網等から構成される通信回線網１３とＷｅｂ情報を取得できるインターネット１４とから構成されている。
【００２８】
放送局１２は、現行の文字多重放送とは異なる垂直帰線期間の走査線を利用してデータ放送番組を重畳送出している。データ放送番組を構成するコンテンツ群は、データ放送番組制作装置１２２によって制作され、データ放送番組編成装置１２３に送られ、記憶装置１２４に番組構成に則った形態に保持される。また、このとき番組構成情報がデータ放送番組編成装置１２３で作成され同様に記憶装置１２４に保持される。この番組構成情報は、受信機で番組コンテンツ群を受信した後にコンテンツを再構築して番組を再生することに利用されるものである。
【００２９】
コンテンツ群と番組構成情報は、データ放送番組送出装置１２５、多重化装置１２６へと送られテレビ送信機１２７からテレビ番組と共に送出される。
【００３０】
コンテンツサーバ１５は、放送局１２内の記憶装置１２４に保持されているコンテンツ群をインターネット１４に提供できるように準備されている。
【００３１】
インターネットからコンテンツ群を検索するための経路情報は、放送局１２内のデータ放送番組編成装置１２３で作成される番組構成情報に含まれている経路情報を用いている。この経路情報は、全てのコンテンツに一対一に対応付けられている。
【００３２】
データ放送受信機１１は、通常のテレビ放送用の受信回路１１１と、従来の文字多重放送受信機用の多重放送デコード回路（社団法人  電波産業会  標準規格で規定された第２層までをデコードする回路）１１４と、データ放送デコード回路（社団法人  電波産業会  標準規格で規定された第５層までをデコードする回路）１１５と、番組コンテンツ記憶制御回路１１６と、記憶装置１１７と、データ放送表示制御回路１１８と、公衆回線接続制御回路１１９を装備している。
【００３３】
データ放送受信機１１は、放送を受信すると受信回路１１１、多重放送デコード回路１１４に信号を送り、重畳されている文字放送、データ放送をデータ化する。
【００３４】
データ放送デコード回路１１５は、データ放送のデータをデコードしてコンテンツとして再生する。ここで再生されるものは、コンテンツだけではなく、コンテンツと共に放送されている番組構成情報も再生される。
【００３５】
番組コンテンツ記憶制御回路１１６は、この番組構成情報を基にコンテンツ群を構築し、記憶装置１１７に保持する。データ放送表示制御回路１１８は、記憶装置１１７からコンテンツ群を読み出して番組を表示させる。
【００３６】
番組コンテンツ記憶制御回路１１６は、コンテンツを記憶装置１１７に保持するだけでなく、番組構成情報をも保持する。番組コンテンツ記憶制御回路１１６は、保持された番組構成情報と保持されたコンテンツ群を比較して欠落しているコンテンツ、付加情報を必要としているコンテンツを検出する。番組コンテンツ記憶制御回路１１６は、検出されたコンテンツに番組構成情報内で対応付けられている経路情報を用いて、公衆回線接続制御回路によってインターネットから、コンテンツサーバにアクセスし、欠落コンテンツや付加情報を取得する。
【００３７】
番組コンテンツ記憶制御回路１１６は、取得したコンテンツや付加情報を記憶装置１１７に保持する。
【００３８】
図２は、同実施の形態で使用される番組構成情報の一例を示す図である。
番組構成情報は、番組コンテンツ記憶制御回路１１６がコンテンツを記憶装置１１７に保持する場所情報を含んでいる。これにより、番組コンテンツ記憶制御回路１１６は、欠落しているコンテンツの検出、付加情報を必要としているコンテンツを検出することが可能となる。
【００３９】
番組構成情報は、各コンテンツに一対一に対応付けられたインターネットの経路情報を含んでいる。これにより、番組コンテンツ記憶制御回路１１６は、公衆回線接続制御回路１１９によって接続される通信回線網１３を経由して、インターネット１４にアクセスでき、コンテンツサーバに準備されている欠落コンテンツや付加情報を取得することが可能となる。
【００４０】
【発明の効果】
以上説明したように、本発明によれば、低容量の伝送経路であっても、受信障害対策のために放送番組を繰り返し放送する必要がなくなり、伝送容量を確保できる。
【００４１】
また、放送として送出すべきコンテンツを重要度の高いものに限り、重要度の低いものは公衆回線網等を通じて自動的に取得することが可能となり伝送容量を確保できる。
【００４２】
また、欠落コンテンツをゼロにできるため、番組構成に矛盾をきたすことが全くなくなる。
【図面の簡単な説明】
【図１】本発明の一実施の形態に係わるデータ放送システムの基本構成図
【図２】同実施形態のデータ放送システムで使用される番組構成情報の一例を示す図
【符号の説明】
１１  データ放送受信機
１２  放送局
１３  通信回線網
１４  インターネット
１５  コンテンツサーバ
【図１】
0004110597.tif 000002
【図２】
0004110597.tif 000003